(57)【要約】      （修正有）【課題】  店頭に陳列した場合に消費者の目を引き易い、商品のアピール効果の優れたティシュペーパーを収納したカートンや使い捨ておむつ等を包装した包装物品を提供する。【解決手段】  包装袋３で複数の被包装物２を包装してなり、持ち手４が取付けられた天面５と、天面５とは反対側の底面６と、天面５と底面６の間に位置する４つの側面７とを有し、少なくとも１つの前記側面７には絵柄、文字、図形等の表示要素８が形成されている包装物品１において、前記表示要素８は、表示要素８の一部が形成されている被包装物２を複数配置することにより全体として一つに形成されていることを特徴とする包装物品。【選択図】図１
2006069637.tif 000002
【特許請求の範囲】
【請求項１】
包装袋で複数の被包装物を一体包装してなり、持ち手が取付けられた天面と、天面とは反対側の底面と、天面と底面の間に位置する４つの側面とを有し、少なくとも１つの前記側面に絵柄、文字、図形等から選ばれる表示要素が形成されている包装物品において、
前記表示要素は分割され、分割された各表示要素部分が複数の被包装物の同一側面に別々に配置されており、該複数の被包装物を一体包装して形成されている包装物品の一側面において完成された表示要素を形成していることを特徴とする包装物品。
【請求項２】
前記表示要素が形成されている包装物品は、該包装物品を複数並べて配置した場合に、隣接する包装物品の同一側面における表示要素と共に連続した表示要素を形成することができる表示要素を少なくとも一側面に有することを特徴とする請求項１記載の包装物品。
【請求項３】
包装袋で複数の被包装物を一体包装してなり、持ち手が取付けられた天面と、天面とは反対側の底面と、天面と底面の間に位置する４つの側面とを有し、少なくとも１つの前記側面には絵柄、文字、図形等から選ばれる表示要素が形成されている包装物品において、
該包装物品を複数並べて配置した場合に、隣接する包装物品の同一側面に形成されている表示要素と共に連続した表示要素を形成することができる表示要素が包装物品の少なくとも一側面の前記包装袋に形成されていることを特徴とする包装物品。
【請求項４】
前記被包装物が使い捨ておむつであることを特徴とする請求項１〜請求項３のいずれか１項に記載の包装物品。
【請求項５】
前記被包装物がティシュペーパーを収納したカートンであることを特徴とする請求項１〜請求項３のいずれか１項に記載の包装物品。
【発明の詳細な説明】
【技術分野】
【０００１】
本発明は、ティシュペーパーを収納したカートン（以下、ボックスティシュと言う場合がある）や使い捨ておむつ等を包装袋で包装した包装物品に関するものである。さらに詳しくは、本発明は、店頭に陳列した場合に消費者の目を引き易い、商品のアピール効果の優れた包装物品に関するものである。
【背景技術】
【０００２】
従来から、ボックスティシュや使い捨ておむつ等を包装した包装物品は、複数の被包装物が重ね合わされて包装袋で包装された状態で店頭に陳列されており、この場合、被包装物あるいは包装袋に、商品をアピールするための絵柄、文字、図形等の表示要素を印刷したものが陳列されている。
【０００３】
例えば、使い捨ておむつの場合、複数枚のおむつを重ね合せて包装袋で包装し、包装袋の表面におむつの内容を表示したもの（特許文献１）、絵柄等のグラフィックを形成した複数枚の使い捨ておむつを包装袋に包装し、包装袋に窓を形成しておむつに形成したグラフィックが見えるようにしたもの（特許文献２）等が開示されている。また、ボックスティシュの場合、個々のカートンに商品をアピールするための表示要素を印刷したものを５個程度、透明な包装袋で包装し、カートンの表示要素が見えるようにしたものが一般に知られている。
【特許文献１】特開２００２−２７８４９１
【特許文献２】特表２０００−５１３３０６
【発明の開示】
【発明が解決しようとする課題】
【０００４】
しかしながら、従来の包装物品は、個々の包装物品に形成された商品をアピールするための表示要素の大きさが小さく、店頭で消費者に十分アピールできないという問題点を有していた。
本発明は、上記従来の包装物品の有する問題点を解消し、店頭に陳列した場合に消費者の目を引き易く、商品のアピール効果の優れた包装物品を提供するものである。
【課題を解決するための手段】
【０００５】
上記従来の包装物品の有する問題点を解決するための本発明は、以下の各発明を包含する。
【０００６】
（１）包装袋で複数の被包装物を一体包装してなり、持ち手が取付けられた天面と、天面とは反対側の底面と、天面と底面の間に位置する４つの側面とを有し、少なくとも１つの前記側面に絵柄、文字、図形等から選ばれる表示要素が形成されている包装物品において、
前記表示要素は分割され、分割された各表示要素部分が複数の被包装物の同一側面に別々に配置されており、該複数の被包装物を一体包装して形成されている包装物品の一側面において完成された表示要素を形成していることを特徴とする包装物品。
【０００７】
（２）前記表示要素が形成されている包装物品は、該包装物品を複数並べて配置した場合に、隣接する包装物品の同一側面における表示要素と共に連続した表示要素を形成することができる表示要素を少なくとも一側面に有することを特徴とする（１）項記載の包装物品。
【０００８】
（３）包装袋で複数の被包装物を一体包装してなり、持ち手が取付けられた天面と、天面とは反対側の底面と、天面と底面の間に位置する４つの側面とを有し、少なくとも１つの前記側面には絵柄、文字、図形等から選ばれる表示要素が形成されている包装物品において、
該包装物品を複数並べて配置した場合に、隣接する包装物品の同一側面に形成されている表示要素と共に連続した表示要素を形成することができる表示要素が包装物品の少なくとも一側面の前記包装袋に形成されていることを特徴とする包装物品。
【０００９】
（４）前記被包装物が使い捨ておむつであることを特徴とする（１）項〜（３）項のいずれか１項に記載の包装物品。
【００１０】
（５）前記被包装物がティシュペーパーを収納したカートンであることを特徴とする（１）項〜（３）項のいずれか１項に記載の包装物品。
【発明の効果】
【００１１】
本発明の包装物品は、その少なくとも一側面に絵柄、文字、図形等から選ばれる表示要素が形成されており、該表示要素は、表示要素の一部が形成されている被包装物を複数配置することにより全体として一つに形成されており、さらに、表示要素が形成された包装物品を複数並べて配置することにより、隣接する包装物品の表示要素との間で連続した表示要素が形成される。
このような構成を有する本発明の包装物品は、これを店頭に陳列した場合に、隣接する被包装物や包装物品によって、連続した大きな表示要素が形成されるため、消費者の目を引き易い、商品のアピール効果の優れたものである。
【発明を実施するための最良の形態】
【００１２】
以下、図面を参照して、本発明の包装物品を詳細に説明するが、勿論、本発明はこれらによって何等制限されるものではない。
【００１３】
図１は、本発明の包装物品の一例を示す斜視図である。図１において、包装物品１は、被包装物２であるティシュペーパーを収納したカートン（ボックスティシュ）を５個重ね合せたものを包装袋３で包装して形成されており、持ち手４が取付けられた天面５と、天面５とは反対側の底面６と、天面５と底面６の間に位置する側面７とを有し、側面７には表示要素８である絵柄が形成されている。
【００１４】
本実施例の場合、表示要素８である絵柄は、分割された絵柄の一部が形成されている被包装物２のボックスティシュを複数個重ね合わせて配置することにより全体として一つの絵柄８が完成するように形成されており、これを透明なプラスチックフィルムからなる包装袋３で包装することにより、包装袋３を通して絵柄８が視認できるようになっている。
このように、被包装物２を複数配置して全体として一つの表示要素８を形成することにより、被包装物各々に一つの表示要素を形成した場合よりも、商品を店頭に陳列した場合に消費者の目を引き易く、アピール効果を向上させることができる。
【００１５】
図２は、図１とは異なる例を示す、本発明の包装物品の斜視図である。図２において、表示要素８である絵柄は、プラスチックフィルムからなる包装袋３に形成されており、個々の包装物品１の側面に一つの表示要素８が形成されると共に、さらに、複数の包装物品１を並べて配置することにより、隣接する包装物品１の表示要素８との間で連続した表示要素が形成されている。
【００１６】
図３は、被包装物２であるボックスティシュに表示要素８である絵柄が形成されている状態を示す斜視図である。図３において、絵柄は、分割されている絵柄の一部が形成されているボックスティシュを複数個重ね合わせて配置することにより全体として一つの絵柄が形成されると共に、個々のボックスティシュにも一つの絵柄が形成されている。
【００１７】
図４は、図３とは異なる例を示す、被包装物２であるボックスティシュに表示要素８である絵柄が形成されている状態を示す斜視図である。図４において、絵柄は、絵柄の一部が形成されているボックスティシュを複数個重ね合わせて配置することにより全体として一つの絵柄が完成するように形成されており、さらに、一つの絵柄が形成された重ね合わされたボックスティシュの包装物品を複数並べて配置することにより、隣接する包装物品の絵柄との間で連続した絵柄が形成されている。
【００１８】
本発明において、表示要素は、絵柄の他に、文字、図形等であっても良く、あるいは、これらの組合わせであっても良い。また、表示要素は、被包装物に形成しても良く、包装袋に形成しても良く、あるいは、両方に形成しても良い。
【産業上の利用可能性】
【００１９】
本発明の包装物品は、絵柄、文字、図形等の表示要素が、表示要素の一部が形成されている被包装物を複数重ね合わせて配置することにより全体として一つに形成されており、さらに、表示要素が形成された包装物品を複数並べて配置することにより、隣接する包装物品の表示要素との間で連続した表示要素が形成されている。
このような構成を有する本発明の包装物品は、これを店頭に陳列した場合に消費者の目を引き易く、商品のアピール効果に優れており、ティシュペーパーを収納したカートンや使い捨ておむつ等を包装した包装物品として有用である。
【図面の簡単な説明】
【００２０】
【図１】本発明の包装物品の一例を示す斜視図である。
【図２】本発明の包装物品の他の例を示す斜視図である。
【図３】被包装物に表示要素が形成されている状態の一例を示す斜視図である。
【図４】被包装物に表示要素が形成されている状態の他の例を示す斜視図である。
【符号の説明】
【００２１】
１：包装物品
２：被包装物
３：包装袋
４：持ち手
５：天面
６：底面
７：側面
８：表示要素
【図１】
2006069637.tif 000003
【図２】
2006069637.tif 000004
【図３】
2006069637.tif 000005
【図４】
2006069637.tif 000006